(57)【要約】      （修正有）【課題】綴じる書類の枚数（量）に応じて背部の厚さを変えて綴じることができる書類綴じ具を提供する。【解決手段】書類の一側を、コ字形に折り曲げ可能に連接した底部Ａ１、背部Ａ３、蓋部Ａ２の三部材で挟み、且つ該書類に開設された綴じ穴に、底部Ａ１の両側に設けた帯片１，１’を挿通し、帯片１，１’の開放端部を蓋部Ａ２の掛止め孔に係着する書類綴じ具Ａにおいて、蓋部Ａ２に、帯片１，１’が係着される掛止め孔２,２’、３，３’を複数列形成した。【選択図】図１
2011207119.tif 000002
【特許請求の範囲】
【請求項１】
書類の一側を、コ字形に折り曲げ可能に連接した底部、背部、蓋部の三部材で挟み、且つ該書類に開設された綴じ穴に、前記底部の両側に設けた帯片を挿通し、該帯片の開放端部を蓋部の掛止め孔に係着する書類綴じ具において、
前記蓋部に、前記帯片が係着される掛止め孔を複数列形成したことを特徴とする書類綴じ具。
【請求項２】
前記背部に、前記帯片の係着位置に応じて該背部の折曲げを容易ならしめる溝部が形成されていることを特徴とする請求項１記載の書類綴じ具。
【請求項３】
前記帯片に、掛止め孔の孔縁に引っ掛かる切欠部が間隔をおいて複数個形成されていることを特徴とする請求項１又は２記載の書類綴じ具。
【発明の詳細な説明】
【技術分野】
【０００１】
本発明は、書類に開設された綴じ穴を利用して複数枚の書類を綴じる綴じ具に関し、詳しくは折り曲げなどを自由に行うことができる合成樹脂材や紙材の書類綴じ具に関する。
【背景技術】
【０００２】
書類の一側を、コ字形に折り曲げ可能に連接した底部、背部、蓋部の三部材で挟み、且つ該書類に開設された綴じ穴に、前記底部の両側に設けた帯片を挿通し、該帯片の開放端部を蓋部の掛止め孔に係着する綴じ具が知られている（例えば、特許文献１、２参照）。
【０００３】
しかし、帯片が係着される掛止め孔は蓋部に一組形成されているだけであるため、書類を閉じた状態での綴じ具の厚さ（背部の厚さ）は綴じられる書類の枚数に関係なく一定である。即ち、従来の綴じ具は綴じる書類の枚数（量）に応じて、背部の厚さを変更することはできないものであった。
そのため、綴じ具に綴じられた書類の枚数が少ないにもかかわらず、綴じ具の背部は所定の厚さを有する為、綴じ具を棚やロッカー等に収納する際、厚さ方向に余分な場所が必要となる。
【先行技術文献】
【特許文献】
【０００４】
【特許文献１】特開平１１−５９０５０号公報
【特許文献２】特開２００１−２６０５８３号公報
【発明の概要】
【発明が解決しようとする課題】
【０００５】
本発明は上記従来の技術が有する問題点に鑑みてなされたもので、綴じる書類の枚数（量）に応じて背部の厚さを変えて綴じることができる書類綴じ具を提供することにある。
【課題を解決するための手段】
【０００６】
上記課題を解決する為に本発明の綴じ具は、書類の一側を、コ字形に折り曲げ可能に連接した底部、背部、蓋部の三部材で挟み、且つ該書類に開設された綴じ穴に、前記底部の両側に設けた帯片を挿通し、該帯片の開放端部を蓋部の掛止め孔に係着する綴じ具において、前記蓋部に、前記帯片が係着される掛止め孔を複数列形成したことを特徴とする。
前記複数列の掛止め孔が形成される位置は、底部と蓋部との間に閉じられる書類の枚数（厚さ）に応じて選択係着し得るよう、蓋部の幅内に間隔をおいて平行に形成される。
前記掛止め孔の列数としては、例えば書類の綴じ量が大・小の二種類に対応する場合は二列、書類の綴じ量が大・中・小の三種類に対応する場合は三列形成する。
【０００７】
また、綴じる書類の量に応じて底部の帯片を係着する蓋部側の掛止め孔を選択するが、底部の帯片を何れかの列の掛止め孔に対応させる為には、底部と蓋部との間に配置した背部の折り曲げ位置を変更することになる。その為に、前記背部の折り曲げを容易に行うことができるように、溝部を形成してもよい。
前記溝部は、前記掛止め孔の列数に対応して形成する、或いは前記背部の幅全体を折り曲げが自在な溝、即ち薄肉部としてもよい。
【０００８】
また、前記帯片は掛止め孔に挿入されて係着されるが、係着状態を確保する為に前記帯片に、掛止め孔の孔縁に引っ掛かる切欠部を形成してもよい。そして、その切欠部は帯片の長手方向に沿い間隔をおいて複数形成してもよい。
また、本発明の書類綴じ具を構成する材料としては、折り曲げ可能な材料、例えば、合成樹脂材、紙材等が挙げられる。合成樹脂材で構成する場合は、合成樹脂製の板材（シート）から打抜き成形する方法、金型を用いて成形する方法の何れでもよい。
【０００９】
上記手段によれば、底部の帯片を係着する蓋部側の掛止め孔列が複数列形成されているので、底部と蓋部の間に綴じる書類の量に応じて帯片を係着する掛止め孔の列を選択することで、綴じ具の背部の厚さを、書類の綴じ量に応じた厚さに変更することができる。
そして、掛止め孔列を変える為に背部の折り曲げ位置を変える時、該背部に溝部が形成されている為、前記掛止め孔列の変更を、背部の折り曲げによって簡単に行うことができる。
【００１０】
また、帯片に、掛止め孔の孔縁に引っ掛かる切欠部が形成されていることで、帯片は掛止め孔にしっかりと係着され、帯片が掛止め孔から外れるのを防止できる。そして、前記切欠部が長手方向に沿って複数形成されている為、係着する切欠部を帯片の付根よりにすれば底部と蓋部による締め付けがきつくなり、係着する切欠部を帯片の開放端寄りにすれば底部と蓋部による締め付けは緩くなる、従って、背部の厚さ変更と併せて締め付けの強度を変えることができる。
【発明の効果】
【００１１】
本発明の綴じ具は、底部と蓋部の間に綴じる書類の量に応じて帯片を係着する掛止め孔の列を選択することで、綴じ具の背部の厚さを、書類の綴じ量に応じた厚さに変更することができる。従って、一つの綴じ具で、背部の厚さが異なる複数の綴じ具に使い分けることができる。
また、前記掛止め孔列の変更を、背部の折り曲げによって簡単に行うことができる。
また、帯片に、掛止め孔の孔縁に引っ掛かる切欠部が形成されていることで、帯片は掛止め孔にしっかりと係着され、帯片が掛止め孔から外れるのを防止できると共に、掛止め孔に係着する切欠部の位置を変えることで底部と蓋部による締め付けの強度を強弱変更することができる。
【図面の簡単な説明】
【００１２】
【図１】本発明に係る書類綴じ具の一例を示す平面図。
【図２】（ａ）は背部及び蓋部を折り曲げた状態の拡大側面図、（ｂ）は帯片と掛止め孔の係着部を示す拡大平面図。
【図３】書類を綴じた状態を示す斜視図で、（ａ）は書類の枚数が多い場合、（ｂ）は書類の枚数が少ない場合。
【図４】書類綴じ具の他の例を示す平面図。
【図５】同綴じ具の綴じ状態を示す斜視図。
【図６】書類綴じ具の他の例を示す平面図。
【図７】同綴じ具の綴じ状態を示す斜視図。
【発明を実施するための形態】
【００１３】
以下、本発明に係る書類綴じ具の実施の形態を図面に基づいて説明する。
図１は書類綴じ具Ａの平面図で、合成樹脂製の板材（シート）より打抜き加工によって形成される。
その書類綴じ具Ａは、底部Ａ１、蓋部Ａ２、背部Ａ３を備え、底部Ａ１と蓋部Ａ２は背部Ａ３で連結されており、前記底部Ａ１の左右両側には、書類Ｂの綴じ穴２４に挿通する帯片１，１’が、蓋部Ａ２には前記帯片１，１’が挿入係着される掛止め孔２，２’、３，３’、及び前記帯片１，１’を前記掛止め孔２，２’又は３，３’に案内する案内溝４，４’、５，５’が形成されている。
【００１４】
前記底部Ａ１、蓋部Ａ２、及び背部Ａ３は横長帯状に形成され、底部Ａ１の中央部には本書類綴じ具Ａをファイル台紙１３にリベット等で取り付けるための取付孔６が開設され、その取付孔６より外側には細幅の帯片１，１’がスリット７によって区画形成されている。
【００１５】
前記帯片１，１’は前記底部Ａ１との連結部で略直角に折り曲げて書類の綴じ穴２４に挿通し、その帯片１，１’の解放端側を蓋部Ａ２の掛止め孔２，２’、又は３，３’に挿入係着することにより書類を保持するもので、該帯片１，１’の側縁には掛止め孔２，２’又は３，３’との係着を保持する切欠部８が切欠き形成されている。
【００１６】
前記蓋部Ａ２は前記底部Ａ１とで書類を挟むもので、横長帯状の面内には前記底部Ａ１の帯片１，１’が挿入係着される掛止め孔２，２’と掛止め孔３，３’が平行に並んで形成され、各掛止め孔２，２’、３，３’の列の内側には前記帯片１，１’を掛止め孔２，２’又は３，３’に案内する案内溝４，４’、５，５’が切欠き形成されている。
また、図２（ｂ）に示すように、前記掛止め孔２，２’と掛止め孔３，３’の孔幅Ｌ１は、前記帯片１，１’の帯幅Ｌ２より小さくし、前記帯片１，１’に形成される切欠部８部分の帯幅を前記掛止め孔の孔幅Ｌ１と略同じ幅とすることで、帯片１，１’の切欠部８が掛止め孔２，２’又は３，３’の孔縁に引っ掛かり、蓋部Ａ２は挟持状態に保持される。
【００１７】
また、前記掛止め孔２，２’と掛止め孔３，３’は、横幅方向に位置をずらして形成されている。これは、書類Ｂの綴じ量（枚数）の多い・少ないに応じて背部の厚さ（綴じ具の厚さ）が変わるのに対応するようにしたもので、前記掛止め孔２，２’の列から背部Ａ３との連接部までの距離Ｌ３と、掛止め孔３，３’の列から背部Ａ３との連接部までの距離Ｌ４は、Ｌ３＞Ｌ４としてある。それにより、前記掛止め孔２，２’の列は書類Ｂの綴じ量が多い場合に使用し、掛止め孔３，３’の列は書類Ｂの綴じ量が少ない場合に使用する。
即ち、前記掛止め孔２，２’と掛止め孔３，３’に対して前記帯片１，１’の切欠部８が引っ掛かるようにする為に、掛止め孔２，２’は掛止め孔３，３’より内側に形成されている。
【００１８】
前記背部Ａ３は底部Ａ１と蓋部Ａ２との間に配置されて両部材を連結し、底部Ａ１との連接部９及び蓋部Ａ２との連接部１０及び両連接部９，１０の間で折り曲げて側面コ字形にすることで書類Ｂの綴じ側の側縁を保護し、書類Ｂを綴じることが可能となる。
又、前記背部Ａ３には高さ方向（横幅と直交する方向）を３等分する位置及び前記連接部９，１０に、折り曲げを容易に行うことができるようにする溝部１１が形成されている。前記溝部１１は、板材（シート）の表裏両面に形成、又は表裏何れかの片面にのみ形成、の何れでもよい。
また、背部Ａ３はその範囲内に開口１２を形成して、該背部Ａ３の折り曲げ性を高めているが、該背部Ａ３は全面閉塞されていてもよい。
【００１９】
次に、上記書類綴じ具Ａによる書類Ｂの綴じ操作を図３に基づいて説明する。
先ず底部Ａ１の左右両側に形成された帯片１，１’を略直角に折り曲げ、その帯片１，１’を書類Ｂの綴じ穴２４に差し込み、所定量の書類Ｂを綴じた後、背部Ａ３及び蓋部Ａ２を前記底部Ａ１側に折り曲げ、前記蓋部Ａ２が前記底部Ａ１の真上に位置するようにする。そして、前記帯片１，１’を底部Ａ１の上に折り曲げた蓋部Ａ２の案内溝４，４’又は案内溝５，５’に通し、更に帯片１，１’の開放端側を外側に向けて折り曲げ、対応する掛止め孔２，２’又は３，３’に挿入係着する。
【００２０】
前記帯片１，１’を蓋部Ａ２の掛止め孔２，２’又は３，３’の何れかの列に係着するが、係着する列の選択は綴じる書類の量（枚数）に応じて選択する。即ち、綴じる書類Ｂの量（枚数）が多い場合は掛止め孔２，２’の列を使用し（図３（ａ）参照）、綴じる書類Ｂの量（枚数）が少ない場合は掛止め孔３，３’の列を使用する（図３（ｂ）参照）。そして、その使用する掛止め孔２，２’又は３，３’の列が前記帯片１，１’の線上に位置するように、背部Ａ３を折り曲げる。例えば、書類Ｂの量（枚数）が綴じ込み可能量の半分以上である場合、背部Ａ３は底部Ａ１との連接部９と、蓋部Ａ２との連接部１０で折り曲げられ、書類Ｂの量（枚数）が綴じ込み可能量の半分以下である場合、背部Ａ３は底部Ａ１との連接部９及び連接部９と連接部１０との間の溝部１１で折り曲げられ、残りの背部Ａ３及び蓋部Ａ２は手前側（蓋部の折り曲げ方向）に突出される。それにより、書類の綴じ量が少ない場合、折り曲げられた背部の残り部分は常に蓋部の折り曲げ方向（内方）に折り込まれる為、背部Ａ３がファイル表紙１３の外周縁より外側にはみ出すことはない。そして、蓋部Ａ２の折り曲げ方向（内方）に背部Ａ３の残りの部分が移動することで、帯片１，１’は掛止め孔３，３’の列と対応し、確実に係着することができる。
従って、書類Ｂの綴じ込み又は取り外しに伴う書類の量の増減に対応して背部Ａ３の折り曲げ位置を変更し、それに合わせて帯片１，１’が係着される掛止め孔２，２’又は３，３’の列を適宜選択することで、背部Ａ３の厚さ（高さ）を略書類の量に合わせることができる。
【００２１】
図４は前示実施例（図１）における帯片１，１’を、蓋部Ａ２の掛止め孔２，２’又は３，３’に係着するのに案内する案内溝４，４’、５，５’の他の例を示す。尚、前示実施例と同じ部材は同じ符号を付し、説明を省略する。
その構成は、蓋部Ａ２の面内に横長の窓孔１４を開設し、その窓孔１４の幅方向両側に仕切りの凸部１５が形成されて案内溝１６，１６’、１７，１７’が区画形成されている。
【００２２】
上記構成により、書類Ｂの綴じ穴２４に通した帯片１，１’を、折り曲げた蓋部Ａ２の掛止め孔２，２’又は３，３’に挿入係着する場合、図５に示すように、前記帯片１，１’を蓋部Ａ２の窓孔１４に挿入し、係着する掛止め孔の列に応じて案内溝１６，１６’又は１７，１７’を選択し、選択した案内溝に嵌入させて外側に向け折り曲げ、対応する掛止め孔に係着する。
【００２３】
前記した図１及び図４に示す実施の形態は何れも底部Ａ１の左右両側に設けた帯片１，１’を蓋部Ａ２の掛止め孔２，２’又は３，３’に挿入係着するのに外側へ折り曲げる外折り曲げ方式を採用しているが、帯片１，１’を掛止め孔２，２’又は３，３’に係着するのに内側に折り曲げる内折り曲げ方式としてもよい。
その構成は図６に示すように、背部Ａ３’に連接する蓋部Ａ２’は底部Ａ１’の横幅と略同じ横幅とし、その蓋部Ａ２’の面内に、二組（二列）の掛止め孔１８，１８’、１９，１９’が配置形成され、且つ蓋部Ａ２’の左右側縁には前記掛止め孔１８，１８’又は１９，１９’に帯片１，１’を案内する案内溝２０，２０’、２１，２１’が切欠き形成されている。
又、前記各組（各列）の左右の掛止め孔１８と１８’、及び掛止め孔１９と１９’は同一線上に配置せず、上下方向にずらして配置されている。それは、案内溝２０，２０’又は２１，２１’に嵌めて内側に折り曲げた帯片１，１’の開放端同士が突き当たらないようにし、それにより帯片１，１’が確実に掛止め孔１８，１８’または掛止め孔１９，１９’に係着されるようにしてある。
【００２４】
また、前記各組（各列）の掛止め孔１８と１９、１８’と１９’は同じ縦列線上に配置され、他方、これに挿入係着される帯片１，１’には切欠部２２，２３、２２’，２３’が長手方向に間隔をおいて形成されている。尚、切欠部２２と２３、２２’と２３’の間隔は、掛止め孔１８と１９、１８’と１９’の縦列線上の間隔に相当する。
【００２５】
上記構成により、図７に示すように、底部Ａ１’の左右両側に形成された帯片１，１’を上方に向けて略直角に折り曲げ、その帯片１，１’を書類Ｂの綴じ穴２４に差し込み、所定量の書類Ｂを綴じた後、背部Ａ３’及び蓋部Ａ２’を前記底部Ａ１’側に折り曲げ、前記蓋部Ａ２’が前記底部Ａ１’の真上に位置するようにする。そして、前記帯片１，１’を底部Ａ１’の上に折り曲げた蓋部Ａ２’の案内溝２０，２０’又は案内溝２１，２１’に嵌め込み、更に帯片１，１’の開放端側を内側に向けて折り曲げ、対応する掛止め孔１８，１８’又は１９，１９’に挿入係着する。
帯片１，１’を掛止め孔１８，１８’又は１９，１９’に挿入係着した状態では、前記掛止め孔１８と１８’、掛止め孔１９と１９’は前後方向にずれて配置されているため、帯片１と帯片１’の開放端側が当たることはなく、従って、掛止め孔に対してしっかり挿入係着することができる。
【００２６】
本発明に係る書類綴じ具は図示した実施の形態に限定されず、本発明の要旨を変更しない範囲で適宜変更可能である。
（１）実施の形態では、書類綴じ具をファイル台紙にリベット等で固定した状態を示したが、書類綴じ具を合成樹脂シートからなる横開き式ファイルの一方の面（裏表紙）に一体に形成し、ファイルに綴じ具が一体に設けられた形態としてもよい。
（２）実施の形態では、蓋部に形成する掛止め孔の列が二列の例を示したが、掛止め孔の列は二列に限らず三列、又は四列等任意である。
（３）実施の形態では、背部に開口１２を形成した例を示したが、開口のない全面が閉塞された状態としてもよい。
（４）実施の形態では、背部の折り曲げを容易にする一例として溝を示したが、該溝は間隔をおいて複数本形成する形態に限らず、背部全体を薄肉の溝部としてもよい。
【符号の説明】
【００２７】
Ａ…書類綴じ具                    Ａ１…底部
Ａ２…蓋部                          Ａ３…背部
１，１’…帯片            ２，２’、３，３’…掛止め孔
４，４’、５，５’…案内溝                          ８…切欠部
１１…溝部
【図１】
2011207119.tif 000003
【図２】
2011207119.tif 000004
【図３】
2011207119.tif 000005
【図４】
2011207119.tif 000006
【図５】
2011207119.tif 000007
【図６】
2011207119.tif 000008
【図７】
2011207119.tif 000009